(57)【要約】【課題】  収納領域に収納された物品を一元的に管理しながらも、物品を検索した場合に物品の収納領域をわかりやすく出力する。【解決手段】  棚部３毎に設けられ、棚部３に収納された物品に取り付けられたＲＦ−ＩＤメディアから情報を読み出す収納領域管理ボード１と接続されたコントロールユニット４において、棚部３における物品の収納状況情報を保持しておき、物品の検索命令が入力された場合、保持された物品の収納状況情報を用いて当該物品の収納位置を検索し、検索された物品の収納位置に対応して収納領域管理ボード１に設けられたＬＥＤを発光させ、検索対象となる物品がどこに収納されているかを表示する。【選択図】図１
2006273554.tif 000002
【特許請求の範囲】
【請求項１】
ＲＦ−ＩＤメディアが取り付けられて収納領域に収納された物品を検索する物品検索システムであって、
前記収納領域毎に設けられ、当該収納領域に収納された物品に取り付けられたＲＦ−ＩＤメディアから情報を読み出す収納領域管理部材と、
前記収納領域管理部材と接続され、該収納領域管理部材における前記ＲＦ−ＩＤメディアからの情報の読み出し結果に基づいて前記収納領域における物品の収納状況を管理する制御手段とを有し、
前記収納領域管理部材は、
前記収納領域内にて物品が収納される収納位置に対応して取り付けられ、当該収納位置に収納された物品に取り付けられたＲＦ−ＩＤメディアから情報を読み出すための複数のアンテナと、
前記複数のアンテナのそれぞれに対応して設けられた複数の物品位置表示手段とを具備し、
前記制御手段は、
前記収納領域管理部材における前記ＲＦ−ＩＤメディアからの情報の読み出し結果に基づいて前記収納領域における物品の収納状況情報を保持する収納状況管理手段と、
物品の検索命令が入力された場合、前記収納状況管理手段にて保持された物品の収納状況情報を用いて当該物品の収納位置を検索する検索手段と、
前記検索手段にて検索された物品の収納位置に対応する物品位置表示手段を駆動させる駆動手段とを具備する物品検索システム。
【請求項２】
請求項１に記載の物品検索システムにおいて、
前記制御手段は、検索された物品の収納位置を示す情報を送信する検索結果送信手段を具備し、
前記制御手段と接続され、前記検索命令が入力された場合に該検索命令を制御手段に送信し、前記制御手段から送信されてきた情報を用いて前記物品の収納位置を出力する管理手段を有することを特徴とする物品検索システム。
【請求項３】
物品の収納領域毎に設けられて当該収納領域に収納された物品に取り付けられたＲＦ−ＩＤメディアから情報を読み出す収納領域管理部材を用いて物品を検索するコントロールユニットであって、
前記収納領域管理部材における前記ＲＦ−ＩＤメディアからの情報の読み出し結果に基づいて前記収納領域における物品の収納状況情報を保持する収納状況管理手段と、
物品の検索命令が入力された場合、前記収納状況管理手段にて保持された物品の収納状況情報を用いて当該物品の収納位置を検索する検索手段と、
前記検索手段にて検索された物品の収納位置に対応して前記収納領域管理部材に設けられた物品位置表示手段を駆動させる駆動手段とを有するコントロールユニット。
【請求項４】
棚部を有する収納領域に収納される物品を、該物品の前記棚部への載置面に取り付けられたＲＦ−ＩＤメディアを用いて管理するための収納領域管理部材であって、
前記棚部上に載置可能な形状を有する板状筐体と、
前記板状筐体に取り付けられ、前記ＲＦ−ＩＤメディアから情報を読み出すための複数のアンテナと、
前記板状筐体に取り付けられ、前記アンテナを介して前記ＲＦ−ＩＤメディアから情報を読み出す情報読出手段と、
前記複数のアンテナのそれぞれに対応して設けられた複数の物品位置表示手段とを有する収納領域管理部材。
【発明の詳細な説明】
【技術分野】
【０００１】
本発明は、収納領域に収納された物品を検索する物品検索システム、コントロールユニット及び収納領域管理部材に関し、特に、ＲＦ−ＩＤメディアが取り付けられて収納領域に収納された物品を検索する物品検索システム、コントロールユニット及び収納領域管理部材に関する。
【背景技術】
【０００２】
従来、図書館等において棚に収納された書籍を管理する場合、バーコードや識別番号等のような書籍を管理するための識別情報を書籍の表紙あるいは裏表紙に記載したり、あるいは、そのような識別情報が印字されたラベルを書籍の表紙あるいは裏表紙に貼付したりしている。このバーコードや識別番号等の識別情報を書籍名と対応づけて管理しておき、書籍の保管場所において、書籍からバーコードや識別番号等の識別情報を読み取ることにより、書籍の在庫管理を行っている。
【０００３】
また、近年、非接触状態にて情報の書き込み及び読み出しが可能な非接触型ＩＣタグや非接触型ＩＣラベルといったＲＦ−ＩＤメディアを書籍に貼付しておき、また、書籍が収納される棚の底板や背板に、ＲＦ−ＩＤメディアから情報を読み取るためのアンテナを配置しておき、このアンテナを介してＲＦ−ＩＤメディアから情報を読み取り、書籍の在庫管理を行う技術が考えられている（例えば、特許文献１，２参照。）。この技術においては、書籍等の物品に貼付されたＲＦ−ＩＤメディアからアンテナを介して情報を読み取り、この読み取った情報を用いて物品の在庫状況をパソコン等にて一元的に管理しておき、その後、物品を検索する場合、パソコン等にて管理されている情報を用いて検索が行われ、検索結果がパソコン上に表示されたり、インターネットを介して配信されたりすることになる。
【特許文献１】特開２００３−７２９１９号公報
【特許文献２】特開２００４−２６４６５号公報
【発明の開示】
【発明が解決しようとする課題】
【０００４】
しかしながら、上述した特許文献１，２に記載された技術においては、物品を検索した場合、検索結果がパソコン上に表示されたり、インターネットを介して配信されたりすることになるため、例えば、書籍等のように物品がラック等の複数の収納部材に収納されている場合、検索対象となる物品がどの収納部材のどこに収納されているかをパソコン上あるいはインターネットを介しては認識することができるものの、実際に収納部材が置かれたスペースにおいて、どの収納部材のどこに探索対象となる物品が収納されているかを認識することが困難であるという問題点がある。また、パソコン上に表示されたりインターネットを介して配信されたりする検索結果においては、検索対象となる物品の収納場所を示すために収納部材の識別番号等の情報が出力されることになるため、利用者は表示された識別番号等の情報がどの収納部材に対応するものであるかを覚えておかなければならないという問題点がある。
【０００５】
本発明は、上述したような従来の技術が有する問題点に鑑みてなされたものであって、収納領域に収納された物品を一元的に管理しながらも、物品を検索した場合に物品の収納領域をわかりやすく出力することができる物品検索システム、コントロールユニット及び収納領域管理部材を提供することを目的とする。
【課題を解決するための手段】
【０００６】
上記目的を達成するために本発明は、
ＲＦ−ＩＤメディアが取り付けられて収納領域に収納された物品を検索する物品検索システムであって、
前記収納領域毎に設けられ、当該収納領域に収納された物品に取り付けられたＲＦ−ＩＤメディアから情報を読み出す収納領域管理部材と、
前記収納領域管理部材と接続され、該収納領域管理部材における前記ＲＦ−ＩＤメディアからの情報の読み出し結果に基づいて前記収納領域における物品の収納状況を管理する制御手段とを有し、
前記収納領域管理部材は、
前記収納領域内にて物品が収納される収納位置に対応して取り付けられ、当該収納位置に収納された物品に取り付けられたＲＦ−ＩＤメディアから情報を読み出すための複数のアンテナと、
前記複数のアンテナのそれぞれに対応して設けられた複数の物品位置表示手段とを具備し、
前記制御手段は、
前記収納領域管理部材における前記ＲＦ−ＩＤメディアからの情報の読み出し結果に基づいて前記収納領域における物品の収納状況情報を保持する収納状況管理手段と、
物品の検索命令が入力された場合、前記収納状況管理手段にて保持された物品の収納状況情報を用いて当該物品の収納位置を検索する検索手段と、
前記検索手段にて検索された物品の収納位置に対応する物品位置表示手段を駆動させる駆動手段とを具備する。
【０００７】
上記のように構成された本発明においては、ＲＦ−ＩＤメディアが取り付けられた物品が収納される収納領域には、物品に取り付けられたＲＦ−ＩＤメディアから情報を読み出す収納領域管理部材が設けられている。この収納領域管理部材においては、収納領域内にて物品が収納される収納位置に対応して複数のアンテナが取り付けられ、このアンテナを介して、当該収納位置に収納された物品に取り付けられたＲＦ−ＩＤメディアから情報が読み出される。そして、この収納領域管理部材と接続された制御手段の収納状況管理手段において、収納領域管理部材におけるＲＦ−ＩＤメディアからの情報の読み出し結果に基づいて収納領域における物品の収納状況情報が保持される。この状態において、物品の検索命令が入力されると、制御手段の検索手段において、収納状況管理手段にて保持された物品の収納状況情報を用いて当該物品の収納位置が検索され、検索された物品の収納位置に対応して収納領域管理部材に設けられた物品位置表示手段が駆動手段によって駆動し、それにより、収納領域において、検索対象となる物品がどこに収納されているかが表示されることになる。
【０００８】
また、前記制御手段は、検索された物品の収納位置を示す情報を送信する検索結果送信手段を具備し、
前記制御手段と接続され、前記検索命令が入力された場合に該検索命令を制御手段に送信し、前記制御手段から送信されてきた情報を用いて前記物品の収納位置を出力する管理手段を有する構成とすることも考えられる。
【発明の効果】
【０００９】
以上説明したように本発明においては、収納領域毎に設けられ、当該収納領域に収納された物品に取り付けられたＲＦ−ＩＤメディアから情報を読み出す収納領域管理部材と接続された制御手段において、収納領域における物品の収納状況情報を保持しておき、物品の検索命令が入力された場合、保持された物品の収納状況情報を用いて当該物品の収納位置を検索し、検索された物品の収納位置に対応して収納領域管理部材に設けられた物品位置表示手段を駆動させ、検索対象となる物品がどこに収納されているかを表示する構成としたため、物品が収納された収納領域にて検索結果が表示されることになり、それにより、収納領域に収納された物品を一元的に管理しながらも、物品を検索した場合に物品の収納領域をわかりやすく出力することができる。
【００１０】
また、検索された物品の収納位置を示す情報を制御手段から送信し、この情報を用いて物品の収納位置を出力する管理手段を有するものにおいては、物品の検索結果をパソコン上等にて一元的に出力することができる。
【発明を実施するための最良の形態】
【００１１】
以下に、本発明の実施の形態について図面を参照して説明する。
【００１２】
図１は、本発明の物品検索システムの実施の一形態を示す図である。
【００１３】
図１に示すように本形態においては、収納部材２における物品の収納領域となる棚部３上に、棚部３に収納される物品に取り付けられたＲＦ−ＩＤメディアから情報を読み出す収納領域管理部材である収納領域管理ボード１がそれぞれ載置され、この収納領域管理ボード１には、収納領域管理ボード１におけるＲＦ−ＩＤメディアからの情報の読み出し結果に基づいて棚部３における物品の収納状況を管理する制御手段であるコントロールユニット４が収納部材２毎に接続されている。また、収納部材２毎に設けられたコントロールユニット４は、収納部材２に収納される物品を管理する管理手段である管理用パソコン６とＬＡＮ及びハブ５を介して接続されている。なお、コントロールユニット４は、対応する収納部材２を構成する４つの棚部３上のそれぞれに載置された４つの収納領域管理ボード１のうち、１つの収納領域管理ボード１のみと接続され、他の３つの収納領域管理ボード１は順次マルチドロップ接続され、１つの収納領域管理ボード１にて終端されている。また、本形態においては、管理用パソコン６に接続されるコントロールユニット４及びこれに対応する収納部材２の数は３つとしているが、その数は３つに限らない。また、収納部材２を構成する棚部３の数も４つとしているが、その数は４つに限らない。
【００１４】
図２は、図１に示した収納領域管理ボード１の構成を示す図であり、（ａ）は外観斜視図、（ｂ）は内部構造を示す図である。
【００１５】
本形態における収納領域管理ボード１は図２に示すように、板状筐体１０内に８つのアンテナ基板２０−１〜２０−８が取り付けられて構成されている。
【００１６】
アンテナ基板２０−１〜２０−８のそれぞれには、ＲＦ−ＩＤメディアと共振することによりＲＦ−ＩＤメディアから情報を読み出すためのコイル状のアンテナ２１−１〜２１−８が形成されるとともに、アンテナ２１−１〜２１−８のそれぞれに対応するように物品位置表示手段であるＬＥＤ２３−１〜２３−８が接続されている。
【００１７】
板状筐体１０には、その上面に、アンテナ基板２０−１〜２０−８を取り付けるための取り付け部となる取り付け穴１３が設けられており、アンテナ基板２０−１〜２０−８は、この取り付け穴１３にて取り付け用ビス２２を用いてそれぞれ板状筐体１０に取り付けられている。なお、取り付け穴１３は、取り付け用ビス２２を用いてアンテナ基板２０−１〜２０−８を板状筐体１０に取り付けた場合に取り付け用ビス２２の一部が板状筐体１０の上面から突出しないように段差を有する構造となっていることが好ましい。また、板状筐体１０の前面には、取り付け穴１３によるアンテナ基板２０−１〜２０−８の取り付け位置に対応して窓１２−１〜１２−８が設けられており、アンテナ基板２０−１〜２０−８に接続されたＬＥＤ２３−１〜２３−８が点灯した場合、この窓１２−１〜１２−８を介してその点灯状態を確認できるようになっている。また、板状筐体１０の上面のうち、窓１２−１〜１２−８が設けられた前面側は、一部が透明部１１となっており、透明部１１を介してアンテナ基板２０−１〜２０−８の一部が外部から視認可能となり、それにより、アンテナ基板２０−１〜２０−８が取り付けられた位置が外部から認識可能となっている。なお、この領域は、アンテナ基板２０−１〜２０−８が取り付けられた位置が外部から認識可能であれば、透明ではなく半透明であってもよい。また、アンテナ基板２０−１〜２０−８が外部から視認可能でなくても、アンテナ基板２０−１〜２０−８が取り付けられた位置を示すマークを板状筐体１０に印刷しておくことにより、アンテナ基板２０−１〜２０−８が取り付けられた位置を外部から認識可能とすることも考えられる。
【００１８】
また、板状筐体１０の内部には、８つのアンテナ２１−１〜２１−８を介してＲＦ−ＩＤメディアから情報を読み出すとともにＬＥＤ２３−１〜２３−８を点灯するための制御基板３０が取り付けられており、制御基板３０には、アンテナ２１−１〜２１−８を介してＲＦ−ＩＤメディアから情報を読み出す情報読出部３２と、アンテナ２１−１〜２１−８への電流の供給を切り替えるアンテナ切替器３１と、ＬＥＤ２３−１〜２３−８を点灯させるＬＥＤドライバ３３と、この収納領域管理ボード１を識別するためのＩＤを設定するためのディップスイッチからなるＩＤ切替器３５と、コントロールユニット４からの制御によって、情報読出部３２、アンテナ切替器３１およびＬＥＤドライバ３３の動作を制御するとともに、情報読出部３２における読み出し結果をコントロールユニット４に送信する制御部３４とが設けられている。また、アンテナ基板２０−１〜２０−８と板状筐体１０の下面との間に磁性層（不図示）を設けることも考えられる。この磁性層は、板状筐体１０の下面の内部側に、公知の磁性シートを貼付したり、磁性体を塗布したりすることによって設けることが考えられるが、このように、アンテナ基板２０−１〜２０−８と板状筐体１０の下面との間に磁性層を設けることにより、棚部３が金属からなり、かつ、収納領域管理ボード１の厚さが薄い場合であっても、磁束の発生が阻害されて通信ができなくなってしまう可能性を低減することができる。
【００１９】
なお、図２においては、板状筐体１０に取り付け可能なアンテナ基板２０−１〜２０−８の数及び板状筐体１０に設けられた窓１２−１〜１２−８の数をそれぞれ８つとしたが、本発明はこれらの数を８つに限定するものではない。
【００２０】
図３は、図１に示したコントロールユニット４の構成を示すブロック図である。
【００２１】
本形態におけるコントロールユニット４は図３に示すように、棚部３に収納された物品に取り付けられたＲＦ−ＩＤメディアからの情報の読み出し結果を収納領域管理ボード１から取得する収納状況取得部４２と、収納状況取得部４２にて取得された読み出し結果に基づいて棚部３における物品の収納状況情報をテーブル上にて保持する収納状況管理部４３と、管理用パソコン６を介して物品の検索命令が入力された場合、収納状況管理部４３にて保持された物品の収納状況情報を用いて物品の収納位置を検索する検索部４４と、収納領域管理ボード１に設けられたＬＥＤ２３−１〜２３−８のうち、検索部４４にて検索された物品の収納位置に対応するＬＥＤが駆動、発光するように制御する駆動手段であるＬＥＤ制御部４５と、収納状況取得部４２にてＲＦ−ＩＤメディアからの情報の読み出し結果を取得したりＬＥＤ制御部４５にてＬＥＤ２３−１〜２３−８の駆動を制御したりするために収納領域管理ボード１と通信を行う通信部４１と、管理用パソコン６に入力された検索命令を取得したり検索部４４における検索結果を管理用パソコン６に送信したりするために管理用パソコン６と通信を行う検索結果送信手段である通信部４６とから構成されている。
【００２２】
図４は、図１に示した棚部３に収納される物品となる書類ボックスの構造例を示す図である。
【００２３】
図４に示すように、棚部３に収納される書類ボックス７は、開口部から書類を収納可能に構成され、収納部材２の棚部３への載置面にはＲＦ−ＩＤメディアである非接触型ＩＣラベル８が貼付され、また、棚部３に収納された場合に手前側となる面にはバーコード情報９が記載されている。なお、非接触型ＩＣラベル８を書類ボックス７に貼付する位置は書類ボックス７の内側面であってもよく、また、ＲＦ−ＩＤメディアとして非接触型ＩＣラベル８を書類ボックス７に貼付するのではなく、ＲＦ−ＩＤメディアを書類ボックス７自体に組み込んだり、フィルムケース等によって書類ボックス７に挿入部を設けてそこに収納したりしてもよい。また、非接触型ＩＣラベル８のシリアル番号とバーコード情報９とは、データベース６ａに予め対応づけて登録されている。
【００２４】
図５は、図１に示した収納部材２に図４に示した書類ボックス７を収納した状態を示す図である。
【００２５】
図５に示すように、図１に示した収納部材２の棚部３にそれぞれ載置された収納領域管理ボード１上に、図４に示した書類ボックス７が載置される。ここで、図１に示した収納部材２の４つの棚部３のうち、上段から３つの棚部３においては、収納領域管理ボード１の板状筐体１０に設けられた取り付け穴１３によって取り付けられたアンテナ基板２０−１〜２０−８のそれぞれに対向するように８つの書類ボックス７が載置され、それにより、アンテナ基板２０−１〜２０−８に形成されたアンテナ２１−１〜２１−８と８つの書類ボックス７にそれぞれ貼付された非接触型ＩＣラベル８とが対向しているが、最も下段の棚部３においては、取り付け穴１３によって８つのアンテナ基板が取り付け可能となる位置のうち、３つの位置のみに対向するように書類ボックス７が載置されている。このため、最も下段の棚部３上に載置される収納領域管理ボード１においては、書類ボックス７が載置される位置に対向する領域、すなわち、窓１２−１，１２−４，１２−７に対応する領域のみの取り付け穴１３にて３つのアンテナ基板が取り付けられ、この３つのアンテナ基板に形成されたアンテナと３つの書類ボックス７に貼付された非接触型ＩＣラベル８とがそれぞれ対向するようになっている。このように、収納領域管理ボード１の板状筐体１０に設けられた取り付け穴１３によってアンテナ基板が取り付け可能な領域のうち、この収納領域管理ボード１上に載置される書類ボックス７と対向する領域のみに取り付け穴１３にてアンテナ基板を取り付けることにより、書類ボックス７に貼付された非接触型ＩＣラベル８と対向する領域のみにアンテナが設けられることになる。このような構成とすることにより、アンテナの電力を、対向する領域のみにて共振するようなものとすることができ、非接触型ＩＣラベル８から情報を確実に読み出すことができながらもアンテナどうしの干渉を防止することができる。
【００２６】
上述したように収納領域管理ボード１を収納部材２の棚部３上に載置した状態で棚部３に収納された書類ボックス７の収納状況を管理する場合、まず、管理用パソコン６において、書類ボックス７に収容される書類名と書類ボックス７に記載されたバーコード情報９とを対応づけてデータベース６ａに登録して管理しておく。これは、例えば、管理用パソコン６に書類ボックス７に収容される書類の書類名を入力するとともに、この書類ボックス７に記載されたバーコード情報９を管理用パソコン６に接続されたバーコードリーダー（不図示）にて読み取り、これらを対応づけることや、書類ボックス７に収容される書類に、予め書類名と対応づけられたバーコード情報が記載されたバーコードラベルを貼付しておき、このバーコードラベルに記載されたバーコード情報と書類ボックス７に記載されたバーコード情報９とをバーコードリーダーにて読み取ってこれらを対応づけること等が考えられる。ここで、書類ボックス７に記載されたバーコード情報９と書類ボックス７に貼付された非接触型ＩＣラベル８のシリアル番号とは、上述したようにデータベース６ａにて予め対応づけて管理されているため、書類ボックス７に収容される書類名と書類ボックス７に記載されたバーコード情報９とを対応づけてデータベース６ａに登録することにより、書類ボックス７に収容される書類名と書類ボックス７に貼付された非接触型ＩＣラベル８のシリアル番号とが対応づけてデータベース６ａにて管理されることになる。
【００２７】
また、コントロールユニット４においては、まず、初期動作として、コントロールユニット４に接続されるべき収納領域管理ボード１に対して、アンテナ２１−１〜２１−８を介しての非接触型ＩＣラベル８からのシリアル番号の読み取り制御が行われ、その読み取り制御に対して、非接触型ＩＣラベル８からシリアル番号が読み出された旨あるいは読み出されなかった旨を示す応答があるかどうかによって、収納領域管理ボード１の存在、すなわち、コントロールユニット４に接続されるべき収納領域管理ボード１のうち実際に接続されている収納領域管理ボード１が認識され、以後、上述した読み取り制御は、コントロールユニット４に実際に接続されていると認識された収納領域管理ボード１に対してのみ行われることになる。なお、上述したアンテナ２１−１〜２１−８を介しての非接触型ＩＣラベル８からのシリアル番号の読み取り動作は、以下に示すものと同様にして行われる。
【００２８】
その後、コントロールユニット４の収納状況取得部４２において、コントロールユニット４に接続された収納領域管理ボード１に対して、アンテナ２１−１〜２１−８を介して非接触型ＩＣラベル８から情報の読み出すための制御が行われる。これは、収納状況取得部４２において、コントロールユニット４に接続された収納領域管理ボード１のうち１つ目の収納領域管理ボード１について、８つのアンテナ２１−１〜２１−８のうち１つ目のアンテナ２１−１が指定され、それにより、アンテナ切替器３１が切り替えられてアンテナ２１−１が選択され、その状態で、コントロールユニット４からの読み出し命令によって情報読出部３２においてアンテナ２１−１に対して高周波電流が供給されてこのアンテナ２１−１を介して非接触型ＩＣラベル８からの情報の読み出しが行われ、その後、収納状況取得部４２にてアンテナ２１−２が指定されることによりアンテナ２１−２が選択され、その状態で、情報読出部３２においてアンテナ２１−２に対して高周波電流が供給されてこのアンテナ２１−２を介して非接触型ＩＣラベル８からの情報の読み出しが行われるというように、コントロールユニット４に接続された収納領域管理ボード１及びその中のアンテナ２１−１〜２１−８毎に順次行われることになる。なお、収納領域管理ボード１においては、制御基板３０に設けられたＩＤ切替器３５によって、１つのコントロールユニット４に接続された収納領域管理ボード１どうしで互いに異なるＩＤとなるボード番号が設定されており、また、収納領域管理ボード１毎のアンテナ２１−１〜２１−８については、コントロールユニット４にてそのＩＤとなるアンテナ番号が管理されているため、コントロールユニット４において、収納領域管理ボード１及びアンテナ２１−１〜２１−８が指定可能となっている。
【００２９】
情報読出部３２において非接触型ＩＣラベル８から読み出されたシリアル番号は、コントロールユニット４に送信される。
【００３０】
収納領域管理ボード１から送信されたシリアル番号は、コントロールユニット４の通信部４１を介して収納状況取得部４２にて受信され、その後、コントロールユニット４の収納状況管理部４３において、収納状況取得部４２にて受信されたシリアル番号を用いて、棚部３における書類ボックス７の収納状況情報がテーブル上にて保持される。
【００３１】
図６は、図３に示した収納状況管理部４３内のテーブルの一例を示す図である。
【００３２】
収納状況管理部４３においては、図６に示すように、コントロールユニット４毎に付与されたＩＰアドレスと、収納領域管理ボード１のＩＤ切替器３５にて設定され、収納領域管理ボード１を識別するためのボード番号と、収納領域管理ボード１内のアンテナを識別するためのアンテナ番号と、そのアンテナを介して読み出された非接触型ＩＣラベル８のシリアル番号とが対応づけられてテーブル上にて保持される。なお、収納領域管理ボード１においては、ＩＰアドレス、ボード番号及びアンテナ番号からなるテーブルが既に保持されており、そのテーブル上に、収納状況取得部４２にて取得された非接触型ＩＣラベル８のシリアル番号が書き込まれることになる。
【００３３】
このように、コントロールユニット４にて収納領域管理ボード１及びアンテナ２１−１〜２１−８が順次指定され、収納領域管理ボード１の情報読出部３２において、コントロールユニット４における指定に従って、棚部３に収納された書類ボックス７に貼付された非接触型ＩＣラベル８からシリアル番号が順次読み出され、このシリアル番号がコントロールユニット４に送信されることにより、棚部３における書類ボックス７の収納状況が収納状況管理部４３にて保持、管理されることになる。
【００３４】
以下に、上述したように書類ボックス７の収納状況が管理されている状態にて書類ボックス７に収容された書類を検索する物品検索方法について説明する。
【００３５】
図７は、図１に示した物品検索システムにおける物品検索方法を説明するためのフローチャートである。
【００３６】
収納部材２に収納された書類を検索するために検索対象となる書類名が管理用パソコン６に入力され、管理用パソコン６上に表示された検索ボタン（不図示）が押下されると（ステップＳ１）、まず、管理用パソコン６において、コントロールユニット４に対してセッションが確立され、入力された書類名に対応づけてデータベース６ａにて管理されている非接触型ＩＣラベル８のシリアル番号が検索される（ステップＳ２）。
【００３７】
そして、検索されたシリアル番号が、管理用パソコン６に接続された全てのコントロールユニット４に対して検索命令とともに送信される（ステップＳ３）。また、コントロールユニット４においては、管理用パソコン６とのセッションが確立すると、上述したような収納領域管理ボード１に対する情報読出部３２におけるシリアル番号の読み出し制御が停止する。
【００３８】
管理用パソコン６から送信された検索命令及び検索対象となるシリアル番号はコントロールユニット４にて受信され（ステップＳ４）、コントロールユニット４の検索部４４において、図６に示したような収納状況管理部４３内のテーブルが参照され、テーブル上にて保持された情報の中から管理用パソコン６から送信されてきた検索対象となるシリアル番号が検索される（ステップＳ５）。
【００３９】
検索部４４において、収納領域管理部４３にてテーブル上に保持された情報の中から、受信されたシリアル番号が検索された場合（ステップＳ６）、ＬＥＤ制御部４５において、収納領域管理部４３のテーブル上にてそのシリアル番号と対応づけられたボード番号及びアンテナ番号に対応するＬＥＤを点灯させる旨の指示が収納領域管理ボード１に送信される（ステップＳ７）。なお、コントロールユニット４においては、コントロールユニット４に接続された収納領域管理ボード１毎に、アンテナ２１−１〜２１−８に対応するＬＥＤ２３−１〜２３−８のＩＤとなるＬＥＤ番号が管理されており、それにより、点灯させるＬＥＤが特定可能となっている。
【００４０】
すると、ＬＥＤを点灯させる旨の指示がコントロールユニット４から送信されてきた収納領域管理ボード１においては、制御基板３０の制御部３４において、ＬＥＤ２３−１〜２３−８のうち、ＬＥＤ制御部４５にて点灯させる旨が指示されたＬＥＤ、すなわち、管理用パソコン６にて検索が指示された書類が収容された書類ボックスの収納位置に対応するＬＥＤが点灯するようにＬＥＤドライバ３３が制御され、それにより、該当するＬＥＤが点灯する（ステップＳ８）。
【００４１】
その後、検索対象となる書類ボックスの収納位置に対応するＬＥＤが点灯してから所定時間経過した場合に、コントロールユニット４あるいは管理用パソコン６における制御によってＬＥＤを消灯させる。
【００４２】
また、検索部４４においては、コントロールユニット４のＩＰアドレスと、検索対象のシリアル番号と、収納領域管理部４３のテーブル上にてそのシリアル番号と対応づけられたボード番号及びアンテナ番号とが検索情報として通信部４６を介して管理用パソコン６に送信される（ステップＳ９）。
【００４３】
管理用パソコン６においては、コントロールユニット４から送信されてきた検索情報が受信されると、検索対象となる書類が収容された書類ボックスがどの収納部材のどの棚に収納されているかが表示される（ステップＳ１０）。
【００４４】
一方、検索部４４において、収納領域管理部４３にてテーブル上に保持された情報の中から、受信されたシリアル番号が検索されない場合は、シリアル番号が検索されなかった旨を示す情報が、コントロールユニット４のＩＰアドレスとともに送信され（ステップＳ１１）、管理用パソコン６において受信される（ステップＳ１２）。
【００４５】
このように、本形態においては、収納部材２における書類ボックスの収納状況がコントロールユニット４にて管理されており、書類ボックスの検索命令が管理用パソコン６から入力された場合、コントロールユニット４にて管理されている収納状況に基づいて書類ボックスの収納位置が検索され、検索対象となる書類ボックスの収納位置に対応するＬＥＤが点灯するので、収納領域に収納された書類ボックスを一元的に管理しながらも、書類ボックスを検索した場合に書類ボックスの収納領域をわかりやすく出力することができる。
【００４６】
また、本形態においては、収納部材２に収納される物品として書類ボックス７を例に挙げて説明したが、収納部材２に収納される物品としては、収納部材２の棚部への載置面に非接触型ＩＣラベル８が貼付されたものであれば書類ボックスに限らない。
【００４７】
また、本形態においては、アンテナ基板２０−１〜２０−８にコイル状のアンテナ２１−１〜２１−８を形成し、このアンテナ２１−１〜２１−８と書類ボックス７に貼付された非接触型ＩＣラベル８とを共振させることにより非接触型ＩＣラベル８から情報を読み出す電磁誘導方式によるものを例に挙げて説明したが、アンテナ基板２０−１〜２０−８にダイポール形態等のアンテナを形成しておき、電波方式によって情報を読み出すことも考えられる。
【図面の簡単な説明】
【００４８】
【図１】本発明の物品検索システムの実施の一形態を示す図である。
【図２】図１に示した収納領域管理ボードの構成を示す図であり、（ａ）は外観斜視図、（ｂ）は内部構造を示す図である。
【図３】図１に示したコントロールユニットの構成を示すブロック図である。
【図４】図１に示した棚部に収納される物品となる書類ボックスの構造例を示す図である。
【図５】図１に示した収納部材に図４に示した書類ボックスを収納した状態を示す図である。
【図６】図３に示した収納状況管理部内のテーブルの一例を示す図である。
【図７】図１に示した物品検索システムにおける物品検索方法を説明するためのフローチャートである。
【符号の説明】
【００４９】
１    収納領域管理ボード
２    収納部材
３    棚部
４    コントロールユニット
５    ハブ
６    管理用パソコン
６ａ    データベース
７    書類ボックス
８    非接触型ＩＣラベル
９    バーコード情報
１０    板状筐体
１１    透明部
１２−１〜１２−８    窓
１３    取り付け穴
２０−１〜２０−８    アンテナ基板
２１−１〜２１−８    アンテナ
２２    取り付け用ビス
２３−１〜２３−８    ＬＥＤ
３０    制御基板
３１    アンテナ切替器
３２    情報読出部
３３    ＬＥＤドライバ
３４    制御部
３５    ＩＤ切替器
４１，４６    通信部
４２    収納状況取得部
４３    収納状況管理部
４４    検索部
４５    ＬＥＤ制御部
【図１】
2006273554.tif 000003
【図２】
2006273554.tif 000004
【図３】
2006273554.tif 000005
【図４】
2006273554.tif 000006
【図５】
2006273554.tif 000007
【図６】
2006273554.tif 000008
【図７】
2006273554.tif 000009